(57)【特許請求の範囲】
【請求項１】
複数の走査線と複数のデータ線とをその上に有する能動素子アレイ基板であって、隣接した走査線の各対および隣接したデータ線の各対が共同して画素領域を形成し、各画素領域が、能動素子と、透明電極と、反射板とを有し、前記能動素子が、前記走査線および前記データ線に印加された電圧によって駆動され、前記透明電極が、前記画素領域の一部を覆って配置され、透過領域を形成し、前記反射板も、前記画素領域を覆っているが、前記透過領域の外部に配置され、前記透明電極および前記能動素子が電気的に接続されている前記能動素子アレイ基板と、
複数の共通電極と複数の補助電極とをその上に有する対向基板であって、前記共通電極が前記透明電極の上に配置され、前記補助電極が前記反射板の上に配置されている前記対向基板と、
前記能動素子アレイ基板と前記対向基板の間に配置された液晶層であって、前記透過領域および前記反射領域が同じ厚さであり、さらに、第１の配向膜が前記液晶層と前記能動素子アレイ基板の間に配置され、第２の配向膜が前記液晶層と前記対向基板の間に配置された前記液晶層と、
前記能動素子アレイ基板のすぐ外側の上部偏光板と、
前記対向基板のすぐ外側の下部偏光板と
を有する半透過型液晶表示装置。
【請求項２】
前記対向基板が、前記画素領域に対応する領域に配置された複数のカラーフィルタフィルムをさらに有する、請求項１に記載の半透過型液晶表示装置。
【請求項３】
前記上部偏光板と前記能動素子アレイ基板の間に配置された第１の遅延板と、前記下部偏光板と前記能動素子アレイ基板の間に配置された第２の遅延板とをさらに有する、請求項１に記載の半透過型液晶表示装置。
【請求項４】
複数の走査線と複数のデータ線とをその上に有する能動素子アレイ基板であって、隣接した走査線の各対および隣接したデータ線の各対が共同して画素領域を形成し、各画素領域が、能動素子と透明電極とを有し、前記能動素子が、前記走査線および前記データ線に印加された電圧によって駆動され、前記透明電極が、前記画素領域を覆って配置され、透過領域を形成し、前記透明電極および前記能動素子が電気的に接続されている前記能動素子アレイ基板と、
複数の共通電極と複数の補助電極とをその上に有する対向基板であって、前記共通電極が前記透明電極の上に配置され、前記補助電極が前記透明電極の外部の前記画素領域の上に配置されている前記対向基板と、
前記能動素子アレイ基板の外側に配置され、反射領域を形成する反射板と、
前記能動素子アレイ基板と前記対向基板の間に配置された液晶層であって、前記透過領域および前記反射領域が同じ厚さであり、さらに、第１の配向膜が前記液晶層と前記能動素子アレイ基板の間に配置され、第２の配向膜が前記液晶層と前記対向基板の間に配置されている液晶層と
を有する半透過型液晶表示装置。
【請求項５】
前記対向基板が、前記画素領域に対応する領域に配置された複数のカラーフィルタフィルムをさらに有する、請求項４に記載の半透過型液晶表示装置。
【請求項６】
前記能動素子アレイ基板のすぐ外側に配置された上部偏光板と、前記対向基板のすぐ外側に配置された下部偏光板とをさらに有する、請求項４に記載の半透過型液晶表示装置。
【請求項７】
前記上部偏光板と前記能動素子アレイ基板の間の第１の遅延板と、前記下部偏光板と前記能動素子アレイ基板の間の第２の遅延板とをさらに有する、請求項６に記載の半透過型液晶表示装置。
【発明の詳細な説明】
【０００１】
【発明の属する技術分野】
本発明は、半透過型液晶表示装置（ＬＣＤ）に関する。より詳しくは、本発明は、シングルセルギャップ半透過型液晶表示装置に関する。
【０００２】
【従来の技術】
半導体装置またはマンマシンディスプレイインターフェースの開発における進歩により、マルチメディア通信は、日常生活でほとんど当たり前のことである。陰極線管（ＣＲＴ）のような高品質で経済的な表示装置が、かなり長い間、市場に出ている。しかし、デスクトップ端末／表示装置としては、ＣＲＴは、かなり大きく、多くの空間を占め、省エネルギーの観点からは、電気エネルギーの消費が多すぎる。したがって、ＣＲＴは、もはや、軽く、小型で、エネルギー効率のよい表示装置の要求を満たすことができない。最近開発された薄膜トランジスタ液晶表示装置（ＴＦＴ−ＬＣＤ）は、優れた画質、スリム、低消費電力、放熱がないなどの特性があるので、現在、市場における主要製品である。
【０００３】
ほとんどの液晶表示装置（ＬＣＤ）は、透過型、反射型、および半透過型に分類することができる。この分類は、異なった光源の利用およびアレイ配置に基づいている。透過型ＬＣＤは、照明源としてバックライトを用い、アレイ上の画素電極が透明であり、バックライトの透過を促進する。反射型ＬＣＤは、照明源としてフロントライトまたは外光を用い、アレイ上の画素電極が金属または反射特性のよい他の物質からなるので、フロントライトまたは外光を反射することができる。半透過型ＬＣＤは、照明源としてバックライトおよび外光の両方を同時に用いる。各画素は、透過領域と反射領域に分けることができる。透過領域は、バックライトの通過を促進する透明電極を有し、反射領域は、外光源からの光を反射できる反射電極を有する。
【０００４】
【発明が解決しようとする課題】
通常黒い半透過型ＬＣＤを一例として用いると、電圧印加前は、透過領域および反射領域の両方が暗い状態である。透過領域および反射領域が暗い状態から最も明るい状態に変わると、透過領域の位相は、±λ／２だけ異ならなければならず、反射領域の位相は、±λ／４だけ異ならなければならない。しかし、シングルセルギャップＬＣＤにおいて、必要な位相差を同時に確保することが難しい。したがって、透過領域および反射領域の両方における光の最適な利用を実際に達成することが難しい。シングルセルギャップ半透過型ＬＣＤの固有の表示制限により、デュアルセルギャップを有する半透過型ＬＣＤが開発されている。透過領域と反射領域を異なったセルギャップで設計することにより、どんな光源からの光も十分利用される。
【０００５】
図１Ａは、従来のデュアルセルギャップ半透過型液晶表示装置の概略断面図である。図１Ａに示されるように、デュアルセルギャップ半透過型ＬＣＤ１００は、主として、薄膜トランジスタ（ＴＦＴ）アレイ基板１０２、対向基板１０４、および液晶層１０６を含む。半透過型ＬＣＤの透過領域（Ｔ）のセルギャップは、距離ｄに調整され、半透過型ＬＣＤの反射領域（Ｒ）のセルギャップは、距離ｄ／２に調整される。したがって、透過領域（Ｔ）内の液晶層１０６は厚さｄを有し、反射領域（Ｒ）内の液晶層１０６は厚さｄ／２を有する。また、セルギャップまたは液晶層１０６の厚さｄは、位相変化関係（Δｎ．ｄ）＝±λ／２を満たさなければならない。したがって、液晶層１０６の厚さ変化（ｄからｄ／２）によって、それぞれのセルギャップの内部で±λ／２および±λ／４の位相変化がある。
【０００６】
図１Ｂは、従来のデュアルセルギャップ半透過型ＬＣＤの概略配置図である。図１Ｂに示されるように、能動素子アレイ基板１０２は、その上に、複数の走査線２００と、複数のデータ線２０２を有する。隣接した走査線２００の各対および隣接したデータ線２０２の各対は、画素領域２１２を構成する。各画素領域２１２は、能動素子２０４、透明電極２０６、および反射電極２０８を有する。透明電極２０６は、画素領域２１２の一部を覆って配置され、透過領域（Ｔ）を形成する。反射電極２０８は、画素領域２１２の一部を覆って透過領域（Ｔ）の外部に配置され、反射領域（Ｒ）を形成する。
【０００７】
一般に、同じ画素領域２１２の透明電極２０６および反射電極２０８は、ともに電気的に接続されている。したがって、同じ画素領域２１２内の透明電極２０６および反射電極２０８は、１つの能動素子２０４によって制御される。さらに、能動素子２０４は、たとえば、走査線２００およびデータ線２０２に印加された電圧によって駆動されると、状態を切替えることができる薄膜トランジスタ（ＴＦＴ）またはダイオードである。
【０００８】
デュアルセルギャップ半透過型ＬＣＤは、照明を最適化することができるが、基板を製造することが難しい。
【０００９】
したがって、本発明の１つの目的は、印加電界を用いてＬＣＤの反射領域および透過領域内の位相変化を制御するシングルセルギャップ構成を有する半透過型液晶表示装置（ＬＣＤ）を提供することである。したがって、半透過型ＬＣＤの反射領域および透過領域が最適に照明される。
【００１０】
【課題を解決するための手段】
これらおよび他の利点を達成するために、かつ、本発明の目的に従って、ここに具体化され広範に記載されているように、本発明は、半透過型液晶表示装置を提供する。半透過型ＬＣＤは、主として、薄膜トランジスタ（ＴＦＴ）アレイと、対向基板と、液晶層とを含む。能動素子アレイ基板は、その上に複数の走査線と複数のデータ線とを有する。隣接した走査線の各対および隣接したデータ線の各対は、共同して画素領域を構成する。各画素領域は、能動素子と、透明電極と、反射板とを有する。能動素子は、走査線およびデータ線に印加された電圧によって駆動される。透明電極は、画素領域の一部に配置され、透過領域を形成し、反射板は、画素領域であるが、透過領域の外部に配置され、反射領域を形成する。透明電極および能動素子は、電気的に接続される。対向基板は、複数の共通電極と複数の補助電極とを有する。共通電極は、透明電極の上に配置され、補助電極は、反射板の上に配置される。液晶層は、能動素子アレイ基板と対向基板の間に配置される。透過領域および反射領域は、同じ厚さである。さらに、第１の配向膜が液晶層と能動素子アレイ基板の間に配置され、第２の配向膜が液晶層と対向基板の間に配置される。また、上部偏光板が能動素子アレイ基板のすぐ外側に配置され、下部偏光板が対向基板のすぐ外側に配置される。
【００１１】
本発明は、また、能動素子アレイ基板と、対向基板と、液晶層と、反射板とを含む、第２のタイプの半透過型液晶表示装置を提供する。能動素子アレイ基板は、その上に複数の走査線と複数のデータ線とを有する。隣接した走査線の各対および隣接したデータ線の各対は、画素領域を構成する。各画素領域は、能動素子と、透明電極とを有する。能動素子は、走査線およびデータ線に印加された電圧によって駆動される。透明電極は、画素領域を覆って配置され、透過領域を形成する。透明電極および能動素子は、ともに電気的に接続される。対向基板は、その上に複数の共通電極と複数の補助電極とを有する。共通電極は、透明電極の上に配置され、補助電極は、透過領域の外部に配置される。反射板は、能動素子アレイ基板の外側に配置され、反射領域を形成する。液晶層は、能動素子アレイ基板と対向基板の間に配置される。透過領域および反射領域は、同じ厚さである。さらに、第１の配向膜が液晶層と能動素子アレイ基板の間に配置され、第２の配向膜が液晶層と対向基板の間に配置される。また、上部偏光板が能動素子アレイ基板のすぐ外側に配置され、下部偏光板が対向基板のすぐ外側に配置される。
【００１２】
本発明は、また、能動素子アレイ基板と、対向基板と、液晶層とを含む、第３のタイプの半透過型液晶表示装置を提供する。能動素子アレイ基板は、その上に複数の走査線と複数のデータ線とを有する。隣接した走査線の各対および隣接したデータ線の各対は、共同して画素領域を構成する。各画素領域は、能動素子と、反射電極と、補助電極とを有する。能動素子は、走査線およびデータ線に印加された電圧によって駆動される。反射電極は、画素領域の一部を覆って配置され、反射領域を形成する。反射領域の外部の画素領域は、透過領域である。反射電極および能動素子は、ともに電気的に接続される。対向基板は、その上に複数の共通電極を有する。共通電極は、反射電極の上に配置される。液晶層は、能動素子アレイ基板と対向基板の間に配置される。透過領域および反射領域は、同じ厚さである。さらに、第１の配向膜が液晶層と能動素子アレイ基板の間に配置され、第２の配向膜が液晶層と対向基板の間に配置される。また、上部偏光板が能動素子アレイ基板のすぐ外側に配置され、下部偏光板が対向基板のすぐ外側に配置される。
【００１３】
本発明において、能動素子アレイ基板は、たとえば、薄膜トランジスタ（ＴＦＴ）アレイ基板またはダイオードアレイ基板である。また、対向基板上の画素領域に対応する位置にカラーフィルタを追加し、カラーフィルタ板を形成することによって、ＬＣＤは、カラーディスプレイとして働くこともできる。
【００１４】
本発明は、また、上部偏光板と能動素子アレイ基板の間に第１の遅延板を取付けることができ、下部偏光板と能動素子アレイ基板の間に第２の遅延板を取付けることができる。
【００１５】
以上の一般的な説明および以下の詳細な説明の両方とも、例示的なものであり、特許請求の範囲に記載されている本発明をさらに説明することが意図されることが理解されるべきである。
【００１６】
添付の図面は、本発明をさらに理解するために含まれており、本明細書に組入れられ、その一部を構成する。図面は、本発明の実施の形態を例示し、説明とともに、本発明の原則を説明するのに役立つ。
【００１７】
【発明の実施の形態】
ここで、本発明の現在のところ好ましい実施の形態について詳細に言及する。それらの例が添付の図面に示されている。可能な限り、図面および説明において同じ参照番号が同じまたは同様の部分を指すように用いられている。
【００１８】
図２Ａおよび図２Ｂは、本発明の第１の実施の形態に従う半透過型液晶表示装置の概略断面図である。図２Ａに示されるように、半透過型液晶表示装置（ＬＣＤ）は、主として、能動素子アレイ基板４００、相補パネル３００、および液晶層５００を含む。能動素子アレイ基板４００は、その上に複数の画素領域を有する。各画素領域は、能動素子（図示せず）、透明電極４０２、および反射板４０４を有する。能動素子（図示せず）および透明電極４０２は、画素領域の一部を覆って配置され、透過領域（Ｔ）を形成する。透過領域（Ｔ）の外部の反射板４０４および画素領域４２０は、反射領域（Ｒ）を形成する。透明電極４０２および反射板４０４が電気接続を有していないことに留意されたい。
【００１９】
対向基板３００は、その上に、複数の共通電極３０２と、複数の補助電極３０４とを有する。共通電極３０２は、透明電極４０２の上に配置され、補助電極３０４は、反射板４０４の上に配置される。また、液晶層５００は、能動素子アレイ基板４００と対向基板３００の間に配置される。
【００２０】
能動素子アレイ基板４００、対向基板３００、および液晶層５００を除いて、第１の遅延板３０６および上部偏光板３０８などの光学フィルムは、対向基板３００の外表面に取付けることができる。また、第２の遅延板４０６および下部偏光板４０８などの光学フィルムは、能動素子アレイ基板４００の外表面に取付けられる。第１の遅延板３０６は、入射光をλ／４位相だけ遅延させることができる。同様に、第２の遅延板４０６は、入射光をλ／４位相だけ遅延させることができる。
【００２１】
本実施の形態で用いられる液晶層５００は、たとえば、ネガティブ液晶であり、そのため、液晶分子の遅軸が与えられた電界に平行である。電圧印加がなければ、液晶分子は、図２Ａに示されたような態様で配向している。したがって、液晶層５００の全有効位相差は０であり、透過領域（Ｔ）および反射領域（Ｒ）の両方が暗い状態である。透過領域（Ｔ）内の液晶層５００において透明電極４０２と共通電極３０２の間に、能動素子アレイ基板４００の表面に垂直な電界が生じると、透過領域（Ｔ）および反射領域（Ｒ）が、暗い状態から最も明るい状態に変わる。縦電界は、図２Ｂの左側に示された方向に液晶分子を配向させるので、透過領域（Ｔ）は、λ／２の有効位相差を有する。
【００２２】
透明電極４０２および反射板４０４が電気接続を有していないので、透明電極４０２および補助電極３０４によって反射領域（Ｒ）の電界が生じる。本実施の形態において、透明電極４０２と補助電極３０４の電位差によって、能動素子アレイ基板４００の表面と斜めの角度をなす電界が、反射領域（Ｒ）内の液晶層５００に生じる。この斜めの電界は、図２Ｂの右側に示されたような方向に液晶分子を配向させるので、反射領域（Ｒ）は、λ／４の有効位相差を有する。
【００２３】
したがって、透過領域（Ｔ）の位相変化が（λ／２−０）＝λ／２であるので、この位相変化は要求された位相変化±λ／２を満たす。同様に、反射領域（Ｒ）の位相変化が（λ／４−０）＝λ／４であるので、この位相変化は要求された位相変化±λ／４を満たす。最終的に、透過領域および反射領域の両方における光の最適な利用が達成される。
【００２４】
図３は、本発明の第１の実施の形態に従う半透過型ＬＣＤの配置を示す図である。図３に示されるように、能動素子アレイ基板は、その上に、複数の走査線４１０と、複数のデータ線４１２とを有する。隣接した走査線４１０および隣接したデータ線４１２は、共同して画素領域４２０を形成する。各画素領域４２０は、能動素子４１４、透明電極４０２、および反射板４０４を有する。薄膜トランジスタまたはダイオードなどの能動素子４１４は、走査線４１０およびデータ線４１２の印加電圧によって駆動されると、状態を変えることができる。透明電極４０２は、画素領域４２０の一部を覆って配置され、透過領域（Ｔ）を形成し、反射板４０４も、画素領域４２０の一部を覆って配置され、反射領域（Ｒ）を形成する。
【００２５】
透明電極４０２は、反射板４０４との電気接続を有していない。したがって、反射板４０４（反射領域（Ｒ））の上の液晶分子は、透明電極４０２と補助電極３０４の間の斜めの電界によって駆動される。透明電極４０２（透過領域（Ｔ））の上の液晶分子は、透明電極４０２と共通電極３０２の間の縦電界によって駆動される。
【００２６】
図４Ａおよび図４Ｂは、本発明の第２の実施の形態に従う半透過型液晶表示装置の概略断面図である。一般に、第１の実施の形態の反射板４０４は、能動素子アレイ基板４００に他の態様で取付けることができる。第２の実施の形態において、反射板４１６は、能動素子アレイ基板４００の外表面に取付けられる。反射板４１６は、同様に、光源からの光（フロントライトおよび外光を含む）を反射することができる。
【００２７】
図５は、本発明の第２の実施の形態に従う半透過型ＬＣＤの配置を示す図である。図５に示されるように、能動素子アレイ基板は、その上に、複数の走査線４１０と、複数のデータ線４１２を有する。隣接した走査線４１０および隣接したデータ線４１２は、共同して画素領域４２０を形成する。各画素領域４２０は、能動素子４１４および透明電極４０２を有する。薄膜トランジスタまたはダイオードなどの能動素子４１４は、走査線４１０およびデータ線４１２の印加電圧によって駆動されると、状態を変えることができる。透明電極４０２は、画素領域４２０の一部を覆って配置され、透過領域（Ｔ）を形成し、透過領域（Ｔ）の外部の画素領域４２０の部分は、反射領域（Ｒ）とみなされる。
【００２８】
第２の実施の形態において、反射領域（Ｒ）の上の液晶分子は、透明電極４０２と補助電極３０４の間の斜めの電界によって駆動される。同様に、透過領域（Ｔ）の上の液晶分子は、透明電極４０２と共通電極３０２の間の縦電界によって駆動される。
【００２９】
図６Ａおよび図６Ｂは、本発明の第３の実施の形態に従う半透過型液晶表示装置の概略断面図である。図６Ａおよび図６Ｂに示されるように、半透過型ＬＣＤは、主として、能動素子アレイ基板４００、対向基板３００、および液晶層５００を含む。能動素子アレイ基板４００は、その上に複数の画素領域を有する。各画素領域は、能動素子（図示せず）、反射電極４３０、および補助電極４１８を有する。能動素子（図示せず）および反射電極４３０は、画素領域の一部を覆って配置され、反射領域（Ｒ）を形成する。反射領域（Ｒ）の外部の画素領域４２０は、透過領域（Ｔ）とみなされる。  対向基板３００は、その上に複数の共通電極３０２を有する。共通電極３０２は、反射電極４３０の上に配置される。また、液晶層５００は、能動素子アレイ基板４００と対向基板３００の間に配置される。
【００３０】
第３の実施の形態は、本発明の第１の実施の形態と多くの点で同様である。第１の実施の形態において、補助電極３０４は、対向基板３００を覆って配置され、反射領域（Ｒ）の上の液晶分子は、補助電極３０４と透明電極４０２の間の斜めの電界によって駆動される。しかし、第３の実施の形態において、補助電極４１８は、能動素子アレイ基板４００の透過領域（Ｔ）の上に配置される。したがって、透過領域（Ｔ）の上の液晶分子は、反射電極４３０と補助電極４１８の間の横電界によって駆動される。また、第１の遅延板３０６および上部偏光板３０８などの光学フィルムは、対向基板３００の外表面に取付けることができる。同様に、第２の遅延板４０６および下部偏光板４０８などの光学フィルムは、能動素子アレイ基板４００の外表面に取付けられる。第１の遅延板３０６は、入射光をλ／４位相だけ遅延させることができ、第２の遅延板４０６は、入射光をλ／４位相だけ遅延させることができる。
【００３１】
第３の実施の形態における液晶層５００は、たとえば、ハイブリッド配向または斜めの配向を有するポジティブ液晶を用い、そのため、液晶分子の速軸が与えられた電界に平行である。任意の電圧を印加する前、液晶分子は、図６Ａに示されたような方向に配向している。したがって、液晶層５００は、λ／４の全位相差を生じ、透過領域（Ｔ）および反射領域（Ｒ）の両方が暗い状態である。透過領域（Ｔ）および反射領域（Ｒ）を最も明るい状態に変えるために、反射電極４３０と共通電極３０２が、反射領域（Ｒ）内の液晶層５００に、能動素子アレイ基板４００の表面に垂直な電界を与える。縦電界は、図６Ｂの左側に示されたような方向に液晶分子を配向させるので、透過領域（Ｔ）の有効位相差は０である。
【００３２】
第３の実施の形態において、反射電極４３０および補助電極４１８が、透過領域（Ｔ）の液晶層５００に、能動素子アレイ基板４００の表面に平行な横電界を与える。横電界は、図６Ｂの右側に示されたような方向に液晶分子を配向させるので、透過領域（Ｔ）は、３λ／４の有効位相差を有する。
【００３３】
したがって、透過領域（Ｔ）の位相変化が（３λ／４−λ／４）＝−λ／２であるので、この位相変化は要求された位相変化±λ／２を満たす。同様に、反射領域（Ｒ）の位相変化が（０−λ／４）＝−λ／４であるので、この位相変化は要求された位相変化±λ／４を満たす。最終的に、透過領域および反射領域の両方における光の最適な利用が達成される。
【００３４】
図７は、本発明の第３の実施の形態に従う半透過型ＬＣＤの配置を示す図である。図７に示されるように、反射領域（Ｒ）の上の液晶分子は、反射電極４３０と共通電極３０２の間の縦電界によって駆動される。同様に、透過領域（Ｔ）の上の液晶分子は、反射電極４３０と補助電極４１８の間の横電界によって駆動される。
【００３５】
上記の実施の形態において、透明電極、反射電極、共通電極、および補助電極の互いに対する配置を利用して、適切な方向および強さを有する電界を与える。したがって、透過領域（Ｔ）および反射領域（Ｒ）における光の利用が最適化されるように、透過領域（Ｔ）および反射領域（Ｒ）の上の液晶分子の有効位相差が変化することができる。
【００３６】
要約すれば、半透過型液晶表示装置は、少なくとも以下の利点がある。
１．反射領域および透過領域の光の利用が最適化されるように、反射領域および透過領域の有効位相差を印加電界の方向によって制御する。
２．第３の実施の形態において、透明電極を製造する必要がない。それにもかかわらず、透過領域（Ｔ）および反射領域（Ｒ）の上の液晶分子が同時に駆動される。したがって、製造プロセスが簡単になる。
３．能動素子アレイ基板上の透明電極パターンおよび対向基板上の共通電極パターンを修正する必要があるので、製造が既存のプロセスに適合する。
【００３７】
本発明の構成には、本発明の範囲または精神から逸脱することなく、様々な修正および変更を行うことができることは、当業者には明らかであろう。上記に鑑み、本発明の修正および変更が特許請求の範囲およびその均等物の範囲内である場合、本発明は、その修正および変更を網羅することが意図される。
【図面の簡単な説明】
【図１Ａ】  従来のデュアルセルギャップ半透過型液晶表示装置の概略断面図。
【図１Ｂ】  従来のデュアルセルギャップ半透過型ＬＣＤの概略配置図。
【図２Ａ】  本発明の第１の実施の形態に従う半透過型液晶表示装置の概略断面図。
【図２Ｂ】  本発明の第１の実施の形態に従う半透過型液晶表示装置の概略断面図。
【図３】  本発明の第１の実施の形態に従う半透過型ＬＣＤの配置を示す図である。
【図４Ａ】  本発明の第２の実施の形態に従う半透過型液晶表示装置の概略断面図。
【図４Ｂ】  本発明の第２の実施の形態に従う半透過型液晶表示装置の概略断面図。
【図５】  本発明の第２の実施の形態に従う半透過型ＬＣＤの配置を示す図である。
【図６Ａ】  本発明の第３の実施の形態に従う半透過型液晶表示装置の概略断面図。
【図６Ｂ】本発明の第３の実施の形態に従う半透過型液晶表示装置の概略断面図。
【図７】  本発明の第３の実施の形態に従う半透過型ＬＣＤの配置を示す図。
【符号の説明】
１０２ 能動素子アレイ基板
１０４ 対向基板
１０６ 液晶層
２００ 走査線
２０２ データ線
２０４ 能動素子
２０６ 透明電極
２０８ 反射電極
２１２ 画素領域
３００ 対向基板（相補パネル）
３０２ 共通電極
３０４ 補助電極
３０６ 遅延板
３０８ 上部偏光板
４００ 能動素子アレイ基板
４０２ 透明電極
４０４ 反射板
４０６ 遅延板
４０８ 下部偏光板
４１０ 走査線
４１２ データ線
４１４ 能動素子
４１６ 反射板
４１８ 補助電極
４２０ 画素領域
４３０ 反射電極
５００ 液晶層
【図１Ａ】
0003713501.tif 000002
【図１Ｂ】
0003713501.tif 000003
【図２Ａ】
0003713501.tif 000004
【図２Ｂ】
0003713501.tif 000005
【図３】
0003713501.tif 000006
【図４Ａ】
0003713501.tif 000007
【図４Ｂ】
0003713501.tif 000008
【図５】
0003713501.tif 000009
【図６Ａ】
0003713501.tif 000010
【図６Ｂ】
0003713501.tif 000011
【図７】
0003713501.tif 000012